【手続補正書】
【提出日】令和2年1月30日(2020.1.30)
【手続補正１】
【補正対象書類名】特許請求の範囲
【補正対象項目名】全文
【補正方法】変更
【補正の内容】
【特許請求の範囲】
【請求項１】
顕微バイタル因子を測定する測定デバイスと、前記測定デバイスの測定データを送信し、前記測定データの分析結果を受信する通信装置とを備えるユーザ装置と、
ネットワークを通じて前記ユーザ装置と接続され、前記ユーザ装置から送信される測定データを受信して前記顕微バイタル因子に関して分析を行い、その分析結果を前記ユーザ装置に送信するサーバとを具備し、
前記サーバは、予め収集された前記顕微バイタル因子に関するデータと前記測定データとに基づいた分析結果を前記ユーザ装置に提供するセルフチェックシステム。
【請求項２】
前記サーバは、前記ユーザ装置からの測定データの分析結果から適切な提案プランを推定し、その分析結果と共に推定した提案プランを前記ユーザ装置に提供する請求項１記載のセルフチェックシステム。
【請求項３】
前記サーバは、前記測定データを同一ユーザの履歴データまたは他のユーザの測定データと比較して分析を行う請求項１記載のセルフチェックシステム。
【請求項４】
前記サーバは、前記測定データを別の因子の測定データと比較して分析し、相関性の高い複数の因子に関する分析結果を優先的に提供する請求項１記載のセルフチェックシステム。
【請求項５】
前記ユーザ装置は、生活習慣データを取得して前記顕微バイタル因子の測定データと共に前記サーバに送信し、
前記サーバは、予め前記生活習慣データを加味して前記顕微バイタル因子に関する複数ユーザの分析・学習を行って前記適切な提案プランを推定する請求項２記載のセルフチェックシステム。
【請求項６】
前記サーバは、前記提案プランに、食事メニュー、サプリメント摂取、運動メニュー、推奨睡眠時間、性交推奨日、禁欲日の少なくとも１つを含む請求項２記載のセルフチェックシステム。
【請求項７】
前記測定デバイスは、前記顕微バイタル因子が精液、母乳、尿、唾液、血液、涙液に含まれる細胞性の成分であるものとして取り扱う請求項１記載のセルフチェックシステム。
【請求項８】
前記測定デバイスは、顕微バイタル因子が精液中の精子であり、その数または濃度、運動率、直進性運動率、形態、白血球数のうちから少なくとも１つを測定する請求項１記載のセルフチェックシステム。
【請求項９】
前記測定デバイスは、
基板の表面部に設けられ、一端側から粒子を含む検体液が供給される流路と、
前記流路の少なくとも一部の領域をカバーする画素領域を有するイメージセンサとを有する請求項１記載のセルフチェックシステム。
【請求項１０】
前記イメージセンサの画素領域を照明する光源を有し、前記画素領域への環境光を遮光する請求項９記載のセルフチェックシステム。
【請求項１１】
前記イメージセンサは、画素領域をレンズレス構造とし、前記流路は、天井を有するマイクロ流路構造とする請求項９記載のセルフチェックシステム。
【請求項１２】
前記流路に対して特定の波長を通過し別の特定の波長を遮断する光学フィルタを備える請求項９記載のセルフチェックシステム。
【請求項１３】
測定デバイスで測定した顕微バイタル因子をユーザ装置がネットワークを通じてサーバに送信し、
前記サーバが前記ユーザ装置から送信される測定データを受信して、予め収集された前記顕微バイタル因子に関するデータと前記顕微バイタル因子の測定データに関する分析を行い、その分析結果を前記ユーザ装置に送信し、
前記ユーザ装置が前記サーバから送信される分析結果を受信してユーザに提示するセルフチェック方法。
【請求項１４】
測定デバイスで測定した顕微バイタル因子を入力し、ネットワークを通じてサーバに送信する送信手段と、
前記送信手段から送信される測定データを受信して、予め収集された前記顕微バイタル因子に関するデータと前記顕微バイタル因子の測定データに関する分析を行う前記サーバから分析の結果を受信する受信手段と、
前記サーバからの分析の結果をユーザに提示する提示手段と
を具備するセルフチェック用ユーザ装置。
【請求項１５】
前記送信手段は、ユーザの生活習慣データを取得して前記顕微バイタル因子の測定データと共に前記サーバに送信し、
前記受信手段は、前記サーバが、予め前記生活習慣データを加味して前記顕微バイタル因子に関する複数ユーザの分析・学習を行って推定する適切な提案プランを受信し、
前記提示手段は、前記提案プランをユーザに提示する
請求項１４記載のセルフチェック用ユーザ装置。
【請求項１６】
ユーザ装置がネットワークを通じて送信する測定デバイスで測定した顕微バイタル因子の測定データを受信する受信手段と、
予め収集された前記顕微バイタル因子に関するデータに基づいて前記ユーザ装置からの顕微バイタル因子の測定データに関する分析を行う分析手段と、
前記分析の結果を前記ユーザ装置に送信する送信手段と
を具備するセルフチェック用サーバ。
【請求項１７】
さらに、前記ユーザ装置からの測定データの分析結果から適切な提案プランを推定し、前記分析結果と共に推定した提案プランを前記ユーザ装置に提供する推定手段を備える請求項１６記載のセルフチェック用サーバ。
【請求項１８】
前記分析手段は、前記測定データを同一ユーザの履歴データまたは他のユーザの測定データと比較して分析を行う請求項１６記載のセルフチェック用サーバ。
【請求項１９】
前記分析手段は、前記測定データを別の因子の測定データと比較して分析し、相関性の高い複数の因子に関する分析結果を優先的に提供する請求項１６記載のセルフチェック用サーバ。
【請求項２０】
前記ユーザ装置が、生活習慣データを取得して前記顕微バイタル因子の測定データと共に送信するとき、
前記推定手段は、予め前記生活習慣データを加味して前記顕微バイタル因子に関する複数ユーザの分析・学習を行って前記適切な提案プランを推定する請求項１７記載のセルフチェック用サーバ。
【請求項２１】
前記推定手段は、前記提案プランに、食事メニュー、サプリメント摂取、運動メニュー、推奨睡眠時間、性交推奨日、禁欲日の少なくとも１つを含む請求項１７記載のセルフチェック用サーバ。
【請求項２２】
測定した顕微バイタル因子をユーザ装置がネットワークを通じてサーバに送信し、
前記サーバが前記ユーザ装置から送信される測定データを受信して、予め収集された前記顕微バイタル因子に関するデータと前記顕微バイタル因子の測定データに関する分析を行い、その分析結果を前記ユーザ装置に送信し、
前記ユーザ装置が前記サーバから送信される分析結果を受信してユーザに提示するセルフチェックシステムに用いられ、
前記顕微バイタル因子として、精液、母乳、尿、唾液、血液、涙液少なくともいずれかに含まれる細胞性の成分であるものを測定するセルフチェック用測定デバイス。
【請求項２３】
顕微バイタル因子が精液中の精子であり、その数または濃度、運動率、直進性運動率、形態、白血球数のうちから少なくとも１つを測定する請求項２２記載のセルフチェック用測定デバイス。
【請求項２４】
表面部に設けられ、一端側から粒子を含む検体液が供給される流路が形成される基板と、
前記流路の少なくとも一部の領域をカバーする画素領域を有するイメージセンサと
を有する請求項２２記載のセルフチェック用測定デバイス。
【請求項２５】
さらに、前記イメージセンサの画素領域を照明する光源と、前記画素領域への環境光を遮光する遮光部と
を備える請求項２４記載のセルフチェック用測定デバイス。
【請求項２６】
前記イメージセンサは、前記画素領域をレンズレス構造とし、前記流路は、天井を有するマイクロ流路構造とする請求項２４記載のセルフチェック用測定デバイス。
【請求項２７】
前記流路に対して特定の波長を通過し別の特定の波長を遮断する光学フィルタを備える請求項２４記載のセルフチェック用測定デバイス。
【請求項２８】
前記流路の検出領域が所定の温度になるように調整する温度調整手段を備える請求項２４記載のセルフチェック用測定デバイス。
【手続補正２】
【補正対象書類名】明細書
【補正対象項目名】発明の名称
【補正方法】変更
【補正の内容】
【発明の名称】セルフチェックシステム、セルフチェック方法、セルフチェック用ユーザ装置、セルフチェック用サーバ及びセルフチェック用測定デバイス